(57)【特許請求の範囲】
【請求項１】
電源供給を行うための複数の電池を収納する電池収納部と、
上記電池収納部内に配設された接続端子部材とを備え、
上記接続端子部材は、屈曲形成された導電性材料よりなる一連の線材により構成されたコイルバネ状部分及び線状部分とを有し、上記線状部分は、略々コ字状に屈曲形成されるとともに、電池収納部の開口部側から内方側に向けて傾斜して突出され、該線状部分にこの線状部分の中心より変移して取付けられた絶縁部とを有し、上記電池収納部に上記各電池が収納されたとき、該コイルバネ状部分を一の電池の平坦な陰極部にこのコイルバネ状部分の弾発力により押接させるとともに、上記傾斜して突出された線状部分を他の電池の突出形成された陽極部の先端部にこの線状部分の弾発力により押接させ、該絶縁部を該他の電池の該陽極部の側方側に位置させることとなされた電子機器。
【発明の詳細な説明】
【０００１】
【産業上の利用分野】
本発明は、電池を収納し、この電池より電源供給されて駆動する電子機器に関する。
【０００２】
【従来の技術】
従来、筐体内に電池を収納し、この電池より電源供給されて駆動する種々の電子機器が提案されている。
【０００３】
このような電子機器においては、上記筐体内に、電池収納部が配設されている。この電池収納部は、合成樹脂材料の如き絶縁材料により、電源供給を行う電池を収納し得る筐体状に形成されている。
【０００４】
電源供給を行う電池としては、１本または複数本の円柱状に構成されたいわゆる乾電池（一次電池）や、所定の形状に形成された充電式の電池（二次電池）が多く使用されている。
【０００５】
上記乾電池を複数本用いる場合においては、これら乾電池は、上記電池収納部内において、直列接続されて使用される場合が多い。例えば、２本の乾電池を用いる場合においては、これら乾電池のうち、第１の乾電池は、陽極部を、接続部材を介して上記電子機器の電源供給端子に接続され、陰極部を、上記電池収納部内に配設された接続端子部材を介して第２の電池の陽極部に接続される。そして、上記第２の乾電池は、陰極部を、接続部材を介して上記電子機器のグランド端子に接続される。
【０００６】
【発明が解決しようとする課題】
ところで、上述のように、上記電子機器に複数本の乾電池が収納される電池収納部が設けられている場合において、この電池収納部内に配設される上記接続端子部材としては、銅合金の如き導電性材料により形成された板バネが使用されている。
【０００７】
この板バネからなる接続端子部材は、上記電池収納部に上記各乾電池が収納されると、これら電池収納部の各極部に押圧されて変位され、該各極部に押接する。
【０００８】
しかしながら、上記電子機器に振動や衝撃が印加されたとき、上記電池収納部内で上記乾電池が移動し、上記接続端子部材は、該乾電池の極部より瞬間的に離間してしまうことがある。このような、上記接続端子部材の上記乾電池の極部よりの瞬間的な離間が生ずると、上記電子機器においては、瞬間的に電源供給が断たれるいわゆる瞬断が起き、正常な動作を続行できなくなる虞れがある。
【０００９】
このような瞬断を防止するためには、上記接続端子部材をなす板バネのバネ常数を大きくして、この接続端子部材の上記乾電池の各極部に対する押圧力を強くすることが考えられる。
【００１０】
しかし、上記接続端子部材をなす板バネのバネ常数を大きくすると、上記電池収納部に対する上記乾電池の挿入及び取り出しの操作が困難となるとともに、また、該板バネのバネ常数を大きくしても、経年変化によるバネの塑性変形、いわゆるへたりを防止することはできない。
【００１１】
さらに、板バネからなる接続端子部材を有する電池収納部においては、上記乾電池を陽極部の方向と陰極部の方向とを正規の方向の逆方向として収納してしまういわゆる逆接続を防止することができない。
【００１２】
そこで、本発明は、上述の実情に鑑みて提案されるものであって、筐体内に収納した電池により電源供給をなされる電子機器であって、該電池の収納及び取り出し操作が容易でありながら、振動や衝撃による瞬断の発生が防止され、また、良好な耐久性を有し、さらに、該電池の逆接続を防止することができるようになされた電子機器を提供することを目的とする。
【００１３】
【課題を解決するための手段】
上述の課題を解決し上記目的を達成するため、本発明に係る電子機器は、電源供給を行うための複数の電池を収納する電池収納部と、上記電池収納部内に配設された接続端子部材とを備え、この接続端子部分は、屈曲形成された導電性材料よりなる一連の線材により構成されたコイルバネ状部材及び線状部分とを有し、線状部分は、略々コ字状に屈曲形成されるとともに、電池収納部の開口部側から内方側に向けて傾斜して突出され、該線状部分にこの線状部分の中心より変移して取付けられた絶縁部とを有し、該電池収納部に該各電池が収納されたとき、該コイルバネ状部分を一の電池の平坦な陰極部にこのコイルバネ状部分の弾発力により押接されるとともに、上記傾斜して突出された線状部分を他の電池の突出形成された陽極部の先端部にこの線状部分の弾発力により押接させ、該絶縁部を該他の電池の該陽極部の側方側に位置させることとなされたものである。
【００１４】
【作用】
本発明に係る電子機器においては、電源供給を行うための複数の電池を収納する電池収納部内に配設された接続端子部材は、屈曲形成された導電性材料よりなる一連の線材により構成されたコイルバネ状部分及び線状部分とを有し、線状部分は、略々コ字状に屈曲形成されるとともに、電池収納部の開口部側から内方側に向けて傾斜して突出され、該線状部分にこの線状部分の中心より変移して取付けられた絶縁部とを有し、該電池収納部に該各電池が収納されたとき、該コイルバネ状部分を一の電池の平坦な陰極部にこのコイルバネ状部分の弾発力により押接させるとともに、傾斜して突出された線状部分を他の電池の突出形成された陽極部の先端部にこの線状部分の弾発力により押接させ、該絶縁部を該他の電池の該陽極部の側方側に位置させるので、振動や衝撃による瞬断の発生が防止され該各電池の各極部に対する確実な接続が図られる。
【００１５】
そして、この接続端子部材は、線材により構成されているため、変位が繰り返されても塑性変形が抑えられ、また、電池収納部内への電池の収納は、電池の平坦な陰極部をコイルバネ状部分に当てがい、電池収納部の開口部側から内方側に向けて傾斜して突出する線状部分に沿って押し込むだけなので、コイルバネ状部分には押接方向以外の押圧がかからず、耐久性が良好である。
【００１６】
さらに、上記絶縁部は、上記線状部分が上記電池の平坦な陰極部に接触することを阻止するため、逆接続を防止する。
【００１７】
【実施例】
以下、本発明の具体的な実施例を図面を参照しながら説明する。
【００１８】
この例は、本発明に係る電子機器を、携帯用のディスクプレーヤ装置として構成した例である。
【００１９】
このディスクプレーヤ装置は、図１に示すように、外筐体２１を有して構成されている。この外筐体２１内には、記録媒体となる光ディスクに対する情報信号の書き込み及び読み出しを行うディスクドライブ部及びこのディスクドライブ部を制御する電子回路部が収納されている。
【００２０】
上記外筐体２１の外側面部には、複数の操作スイッチ２４，２５，２６が配設されている。上記電子回路部は、上記各操作スイッチ２４，２５，２６に対する操作に応じて上記ディスクドライブ部の動作を制御し、記録モード、再生モード、停止モード等の種々の動作モードを実行させる。
【００２１】
この電子機器において、上記電子回路部及び上記ディスクドライブ部は、上記外筐体２１内に収納される電池より電源供給されて駆動する。上記電子回路部及び上記ディスクドライブ部に電源供給を行う電池としては、図１６に示すように、２本の円柱状に構成されたいわゆる乾電池（一次電池）２７，２７、または、図１７に示すように、上記２本の乾電池２７，２７を並列させた形状に相当する所定の形状に形成された充電式電池（二次電池）４７が使用される。
【００２２】
上記乾電池２７において、陽極部（＋極部）６１は、この乾電池２７のなす円柱の一端部の中央に突出形成されている。また、この乾電池２７において、陰極部（−極部）６２は、この乾電池２７のなす円柱の他端部に平坦面として形成されている。
【００２３】
また、上記充電式電池４７においては、陽極部（＋（プラス）極部）４８及び陰極部（−（マイナス）極部）４９は、この充電式電池４７の一端部に並んで形成され、陽極部４８は突出形成され、陰極部４９は平坦面となされている。
【００２４】
上記外筐対２１の底面部には、図２及び図４に示すように、開閉可能な蓋部２２が設けられている。この蓋部２２は、回軸を介して上記外筐体２１に対して回動可能に支持されており、図２及び図３に示すように、この外筐体２１に形成されたこの蓋部２２の形状に対応した形状の開口部を開閉可能としている。
【００２５】
上記蓋部２２は、ロック部材２３により、閉蓋状態において、上記外筐体２１に対して解除可能に掛止されるようになされている。
【００２６】
上記外筐体２１内には、図３及び図５に示すように、上記蓋部２２により開閉される開口部の内方側に位置して、電池収納部１が配設されている。この電池収納部１は、合成樹脂材料の如き絶縁材料により、図５及び図６に示すように、２本の乾電池２７，２７、または、上記充電式電池４７を収納し得る筐体状に形成されている。
【００２７】
上記各乾電池２７，２７は、上記電池収納部１に収納されることにより、互いに直列接続されて、上記電子回路部及び上記ディスクドライブ部に介して電源供給を行う。
【００２８】
すなわち、上記各乾電池２７，２７のうち、第１の乾電池２７は、陽極部６１を、上記電池収納部１内の一方側の内壁部に配設されたプラス端子部材３４及びコード３８を介して上記電子回路部の電源供給端子に接続される。また、この第１の乾電池２７は、陰極部６２を、上記電池収納部１内の他方側の内壁部に配設された接続端子部材４２を介して、第２の乾電池２７の陽極部６１に接続される。そして、上記第２の乾電池２７は、陰極部６２を、上記電池収納部１内の一方側の内壁部に配設されたマイナス端子部材３５及びコード３７を介して、上記電子回路部のグランド端子に接続される。
【００２９】
上記接続端子部材４２は、図７乃至図９、図１１及び図１２に示すように、屈曲形成された導電性材料よりなる一連の線材により構成されたコイルバネ状部分３３及び線状部分３２を有している。
【００３０】
この線材としては、例えば、ニッケル鍍金を施された太さが０．７ｍｍ程度の銅合金ワイヤが好適である。
【００３１】
上記コイルバネ状部分３３は、略々円錐形状に巻回されたコイル状となされている。このコイルバネ状部分３３は、上記第１の乾電池２７の陰極部６２に対応され、上記電池収納部１の内方側に向けて突出されている。
【００３２】
そして、上記線状部分３２は、略々コ字状に屈曲形成され、上記第２の乾電池２７の陽極部６１に対応され、上記電池収納部１の内方側に向けて傾斜して突出されている。この線状部分３２は、上記コイルバネ状部分に連設された基端側部分を介して、トーションバネ状に変位可能となっている。
【００３３】
そして、この接続端子部材４２においては、上記線状部分３２には、図１０乃至図１２に示すように、この線状部分３２の中心より変移して、絶縁部となるカバー部材３６が取付けられている。すなわち、このカバー部材３６は、合成樹脂材料により、上記線状部分３２よりも大きい略々コ字状に形成されており、中央部分を該線状部分３２の先端側に掛止させ、該線状部分３２の中央部分を上記電池収納部１の内方側に臨ませつつ、該線状部分３２に取付けられている。
【００３４】
上記カバー部材３６は、図１２に示すように、上記線状部分３２の中央部分が嵌合するための溝部４３及びこの溝部４３に嵌合している該線状部分３２の中央部分を掛止する掛止爪４４を有している。
【００３５】
また、上記プラス端子部材３４は、図１３乃至図１５に示すように、上記接続端子部材４２と同様の材料により上記線状部分３２と同様の形状に形成されている。このプラス端子部材３４にも、上記カバー部材３６が取付られている。
【００３６】
そして、上記マイナス端子部材３５は、上記接続端子部材４２と同様の材料により上記コイルバネ状部分３３と同様の形状に形成されている。
【００３７】
上記接続端子部材４２は、上記電池収納部１に上記各電池２７，２７が収納されたとき、上記コイルバネ状部分３３を第１の乾電池２７の平坦な陰極部６２にこのコイルバネ状部分３３の弾発力により押接させるとともに、上記線状部分３２を第２の乾電池２７の突出形成された陽極部６１の先端部にこの線状部分３２の弾発力により押接させ、上記カバー部材３６を該第２の乾電池２７の該陽極部６１の側方側に位置させる。
【００３８】
また、上記プラス端子部材３４は、上記電池収納部１に上記各電池２７，２７が収納されたとき、第１の乾電池２７の突出形成された陽極部６１の先端部にこのプラス端子部材３４の弾発力により押接し、上記カバー部材３６を該第１の乾電池２７の該陽極部６１の側方側に位置させる。
【００３９】
そして、上記マイナス端子部材３５は、上記電池収納部１に上記各電池２７，２７が収納されたとき、第２の乾電池２７の平坦な陰極部６２にこのマイナス端子部材３５の弾発力により押接する。
【００４０】
したがって、この電子機器の電池収納部１においては、該各乾電池２７，２７の各極部６１，６２に対する確実な接続が図られる。そして、上記接続端子部材４２は、線材により構成されているため、変位が繰り返されても塑性変形が抑えられ、耐久性が良好である。
【００４１】
そして、上記電池収納部１に上記各乾電池２７，２７が逆方向に収納されたときには、上記各カバー部材３６は、上記線状部分３２、または、上記プラス端子部材３４が上記各乾電池２７，２７の平坦な陰極部６２に接触することを阻止する。したがって、この電池機器においては、上記各乾電池２７，２７の逆接続が防止されている。
【００４２】
また、上記電池収納部に上記充電式電池４７が収納されたときには、上記プラス端子部材３４が突出形成された陽極部４８の先端部にこのプラス端子部材３４の弾発力により押接し、上記マイナス端子部材３５が平坦な陰極部４９にこのマイナス端子部材３５の弾発力により押接する。そして、このとき、上記接続端子部材４２は、上記コイルバネ状部分３３及び線状部分３２の弾発力により、上記充電式電池４７を上記プラス端子部材３４及び上記マイナス端子部材３５側に押圧し、これらプラス端子部材３４及びマイナス端子部材３５と上記各極部４８，４９との接続を確実なものとする。
【００４３】
【発明の効果】
上述のように、本発明に係る電子機器においては、電源供給を行うための複数の電池を収納する電池収納部内に配設された接続端子部材は、屈曲形成された導電性材料よりなる一連の線材により構成されたコイルバネ状部分及び線状部分とを有し、線上部分は、略々コ字状に屈曲形成されるとともに、電池収納部の開口部側から内方側に向けて傾斜して突出され、該線状部分にこの線状部分の中心より変移して取付けられた絶縁部とを有し、該電池収納部に該各電池が収納されたとき、該コイルバネ状部分を一の電池の平坦な陰極部にこのコイルバネ状部分の弾発力により押接させるとともに、傾斜して突出された線状部分を他の電池の突出形成された陽極部の先端部にこの線状部分の弾発力により押接させ、該絶縁部を該他の電池の該陽極部の側方側に位置させる。
【００４４】
そのため、この電子機器においては、上記接続端子部材の上記各電池の各極部に対する確実な接続が図られる。
【００４５】
そして、上記接続端子部材は、線材により構成されているため、変位が繰り返されても塑性変形が抑えられ、また、電池収納部内への電池の収納は、電池の平坦な陰極部をコイルバネ状部分に当てがい、電池収納部の開口部側から内方側に向けて傾斜して突出する線状部分に沿って押し込むだけなので、コイルバネ状部分には押接方向以外の押圧がかからず、耐久性が良好である。
【００４６】
さらに、上記絶縁部は、上記線状部分が上記電池の平坦な陰極部に接触することを阻止するため、逆接続を防止する。
【００４７】
すなわち、本発明は、筐体内に収納した電池により電源供給をなされる電子機器であって、該電池の収納及び取り出し操作が容易でありながら、振動や衝撃による瞬断の発生が防止され、また、良好な耐久性を有し、さらに、該電池の逆接続を防止することができるようになされた電子機器を提供することができるものである。
【図面の簡単な説明】
【図１】本発明に係る電子機器の外観の構成を示す斜視図である。
【図２】上記電子機器の構成を示す底面図である。
【図３】上記電子機器において電池収納部を開蓋した状態を示す底面図である。
【図４】上記電子機器の底面側の構成を示す斜視図である。
【図５】上記電子機器の電池収納部の構成を示す縦断面図である。
【図６】上記電池収納部の構成を示す斜視図である。
【図７】上記電池収納部の構成を示す正面図である。
【図８】上記電池収納部の構成を示す平面図である。
【図９】上記電池収納部の構成を示す背面図である。
【図１０】上記電池収納部の接続端子部材の要部の構成を示す縦断面図である。
【図１１】上記接続端子部材の構成を示す正面図である。
【図１２】上記接続端子部材の構成を示す背面図である。
【図１３】上記電池収納部の端子部材の要部の構成を示す縦断面図である。
【図１４】上記端子部材の構成を示す正面図である。
【図１５】上記端子部材の構成を示す背面図である。
【図１６】上記電池収納部に収納される乾電池の構成を示す斜視図である。
【図１７】上記電池収納部に収納される充電式二次電池の構成を示す斜視図である。
【符号の説明】
１  電池収納部
２７  乾電池
３２  線状部分
３３  コイルバネ状部分
３６  カバー部材（絶縁部）
４２  接続端子部材
６１  陽極部
６２  陰極部
【図１】
0003721599.tif 000002
【図２】
0003721599.tif 000003
【図３】
0003721599.tif 000004
【図４】
0003721599.tif 000005
【図５】
0003721599.tif 000006
【図６】
0003721599.tif 000007
【図７】
0003721599.tif 000008
【図８】
0003721599.tif 000009
【図９】
0003721599.tif 000010
【図１０】
0003721599.tif 000011
【図１１】
0003721599.tif 000012
【図１２】
0003721599.tif 000013
【図１３】
0003721599.tif 000014
【図１４】
0003721599.tif 000015
【図１５】
0003721599.tif 000016
【図１６】
0003721599.tif 000017
【図１７】
0003721599.tif 000018